(57)【特許請求の範囲】
【請求項１】
害虫を捕獲する粘着シートと、該粘着シートをロール状にして供給する供給側ロールと、該供給側ロールから粘着シートを引き出して害虫の捕獲空間を確保するとともに、粘着シートを巻き取る巻き取りロールと、供給側ロールおよび巻き取りロールを回転自在に支持する本体とを備えた害虫捕獲装置であって、
前記本体には、供給側ロールを回転自在に支持する供給側ロール支持軸と、巻き取りロールを回転自在に支持する巻き取りロール支持軸とを備え、それら供給側ロール支持軸および巻き取りロール支持軸は、本体から外した場合には、供給側ロールおよび巻き取りロールを本体における所定の面から落下させることができるように設けられた害虫捕獲装置。
【請求項２】
前記粘着シートを巻き取りロールへ巻き取らせるために、該巻き取りロールを回転させる駆動装置と、該駆動装置による巻き取りロールの回転動作を制御する回転動作制御装置とを備えた請求項１記載の害虫捕獲装置。
【請求項３】
前記巻き取りロールに巻き取られた使用済みシート部分の巻き取り厚みが所定の厚みとなったことを検知する検知センサーを備えた請求項１または請求項２に記載の害虫捕獲装置。
【請求項４】
前記検知センサーが使用済みシート部分の巻き取り厚みが所定の厚みとなったことを検知した場合にその検知結果を報知させる報知手段を備えた請求項３に記載の害虫捕獲装置。
【請求項５】
粘着シートの害虫引き寄せ源を拡散させるため、前記本体内の任意箇所に送風ファンを設けた請求項１、請求項２、請求項３または請求項４に記載の害虫捕獲装置。
【発明の詳細な説明】
【０００１】
【発明が属する技術分野】
本発明は、害虫捕獲装置、更に詳しくは、室内に設置して害虫を捕獲する装置に関する。
【０００２】
【従来の技術】
建物、特に室内に生息して排回する害虫（例えば、ゴキブリ）は、衛生面から駆除する必要性が高い。駆除の方法としては、殺虫剤の散布の他には、害虫を捕獲する器具を設置する、という方法が一般的である。
害虫捕獲器具は、害虫を侵入させる箱体と、その箱体内部において害虫を捕獲して逃がさないようにする粘着シートとを備えたものが多い。このような害虫捕獲器具は、所定期間設置した後に、ゴミとして廃棄すればよく、殺虫剤が室内に残留し易いという問題を有していることから、広く使用されている。
なお、粘着シートを用いる害虫捕獲器具は、ゴキブリ用に限られず、街灯や室内の光源に集まる飛翔害虫を捕獲するための虫取りシートなどにも用いられている。
【０００３】
【発明が解決しようとする課題】
上記した粘着シートを用いる害虫捕獲器具の問題点を、以下に列挙する。
まず、害虫捕獲の効率は、粘着シートの有効面積に比例する。ここにいう有効面積とは、捕獲した害虫によって低下するし、粘着シートの粘着性の劣化によっても低下する。したがって、害虫捕獲を高い効率で維持するためには、捕獲状況を定期的に監視したり、粘着性が劣化するなどの所定期限を過ぎたら交換したりしなければならない、という人的な負担が必要であった。
また、捕獲した害虫をゴミとして廃棄する場合、心理的な負担が大きい。すなわち、粘着シートによって捕獲されたばかりの害虫は、動けなくなっているだけであって生きている。したがって、捕獲器具を移動させる際における心理的な抵抗感が拭えない。また、使用済みの捕獲器具の全体を廃棄するだけとはいえ、ゴミ箱へ移動させるだけでなく、密閉性の高い小袋へ封印したいという心理が働く利用者も多い。
上述した害虫捕獲器具における問題点は、床置用の捕獲器具に限られず、室内の光源に集まる害虫を捕獲する虫取りシートなどにおいても同じ問題がある。
【０００４】
（発明の目的）
本発明が解決すべき課題は、捕獲効率を落とさないための管理の手間を省いたり、廃棄の際の衛生上の安全性を確保するだけでなく心理的な負担をも軽減できる害虫捕獲装置を提供することにある。
ここで、請求項１記載の発明の目的は、廃棄の際の衛生上の安全性を確保するだけでなく心理的な負担をも軽減できる害虫捕獲装置を提供することである。
また、請求項２記載の発明の目的は、更に、捕獲効率を落とさないための管理の手間を省くことができる害虫捕獲装置を提供することである。
また、請求項３記載の発明の目的は、更に、手を汚さずにメンテナンスができる害虫捕獲装置を提供することである。
また、請求項４記載の発明の目的は、更に、害虫の捕獲量に伴って巻き取りロールが所定以上の巻き取り厚みになることによる本体への悪影響を未然に防止できる害虫捕獲装置を提供することである。
また、請求項５記載の発明の目的は、更に、メンテナンス時期を知ることができる害虫捕獲装置を提供することである。
また、請求項６記載の発明の目的は、害虫をおびき寄せ易い害虫捕獲装置を提供することである。
【０００５】
【課題を解決するための手段】
本発明は、上記した目的を達成するためのものである。
（請求項１）請求項１記載の発明は、害虫を捕獲する粘着シート(50)と、該粘着シート(50)をロール状にして供給する供給側ロール(52)と、該供給側ロール(52)から粘着シート(50)を引き出して害虫の捕獲空間(12)を確保するとともに、粘着シート(50)を巻き取る巻き取りロール(51)と、供給側ロール(52)および巻き取りロール(51)を回転自在に支持する本体(10)とを備えた害虫捕獲装置に係る。そして、前記本体(10)には、供給側ロール(52)を回転自在に支持する供給側ロール支持軸(35A)と、巻き取りロール(51)を回転自在に支持する巻き取りロール支持軸(32A)とを備え、それら供給側ロール支持軸(35A)および巻き取りロール支持軸(32A)は、本体(10)から外した場合には、供給側ロール(52)および巻き取りロール(51)を本体(10)における所定の面から落下させることができるように設けられたことを特徴とする。
【０００６】
（用語定義）
「害虫の捕獲空間(12)」とは、捕獲したい害虫の習性や行動などによって異なる。例えば、ゴキブリやアリなど、室内を排回る害虫を駆除するための害虫捕獲装置の場合には、床に近接した位置となる。ハエや蛾など、光源の周囲を飛翔する害虫を駆除するための害虫捕獲装置の場合には、光源に近接した位置となる。粘着シート(50)は、通常、一面のみが粘着性を備えているが、捕獲したい害虫によっては両面に粘着性を備えたものでもよい。一面のみに粘着性を備えている粘着シート(50)の場合、通常、巻き取りロール(51)に対して、粘着面が内側となるように巻き取らせる。
【０００７】
（作用）まず、供給側ロール(52)から粘着シート(50)を引き出し、その端部を巻き取りロール(51)に巻き取らせ、且つ害虫の捕獲空間(12)に粘着シート(50)を位置させる。捕獲空間(12)に位置する粘着シート(50)によって害虫が捕獲できたら、巻き取りロール(51)を回転させる。それによって、粘着シート(50)における害虫を捕獲した部位は巻き取りロール(51)に巻き取られ、供給側ロール(52)から新しい粘着シート(50)が捕獲空間(12)へ供給される。したがって、捕獲効率を高い水準で維持できるとともに、捕獲した害虫を巻き取りロール(51)内へ巻き取ってしまうので、衛生的であるし、廃棄の際の心理的負担も軽減される。一面のみに粘着性を備えている粘着シート(50)の場合であって、巻き取りロール(51)に対して粘着面が内側となるように巻き取らせていれば、捕獲した害虫を眼にすることもない。粘着シート(50)の全体を交換する場合、供給側ロール支持軸(35A)および巻き取りロール支持軸(32A)を、所定の面を下にした本体(10)から取り外す。すると、供給側ロール(52)および巻き取りロール(51)が当該所定の面から落下する。したがって、手を汚さずに粘着シート(50)の全体を回収することができる。
【０００８】
（請求項２）
請求項２記載の発明は、請求項１記載の発明を技術的に限定したものであり、前記粘着シート(50)を巻き取りロール(51)へ巻き取らせるために、該巻き取りロール(51)を回転させる駆動装置(例えば駆動モーター30)と、該駆動装置(30)による巻き取りロール(51)の回転動作を制御する回転動作制御装置とを備えた害虫捕獲装置に係る。
【０００９】
（用語説明）
「駆動装置」は、巻き取りロール(51)を回転させ、最終的に、捕獲空間(12)に存在していた粘着シート(50)が該巻き取りロール(51)に巻き取られるように駆動するものであればどのようなものであってもよい。
「回転動作制御装置」とは、さまざまな制御方法があり得る。例えば、極めて遅い速度で絶え間なく動き続けるように制御するものでもよいし、タイマーを用いて所定時間ごとに粘着シート(50)が所定長さ巻き取られるように制御するものでもよい。更に具体的には、巻き取りロール(51)または供給側ロール(52)の回転角度によって巻き取り長さを制御させてもよいし、ポテンショメーターを用いて回転量を検知することもできる。
【００１０】
（作用）
駆動装置(30)と回転動作制御装置とを備えたので、捕獲効率を落とさないための管理の手間を省くことができる。
【００１３】
（請求項３）請求項３記載の発明は、請求項１または請求項２記載の発明を技術的に限定したものであり、前記巻き取りロール(51)に巻き取られた使用済みシート部分の巻き取り厚みが所定の厚みとなったことを検知する検知センサー(60)を備えた害虫捕獲装置に係る。
【００１４】
（用語説明）
「検知センサー(50)」とは、例えば、巻き取られた粘着シート(50)によって大きくなった巻き取りロール(51)の半径の大きさ（厚み）を検知するセンサーである。機械式、電気式、光学式いずれの形式であってもよい。
【００１５】
（作用）
検知センサー(60)は、巻き取りロール(51)に巻き取られた粘着シート(50)によって使用済みシートの巻き取り厚みが所定の厚みとなったことを検知する。したがって、供給側ロール(52)の大きさが所定以下となる、あるいは使用前の粘着シート(50)がなくなるか否かということとは無関係に、この時点で、粘着シート(50)全体を交換する。そのため、害虫の捕獲量に伴って巻き取りロール(51)が所定以上の巻き取り厚みになったら交換できるので、本体(10)への悪影響を未然に防止できる。
【００１６】
（請求項４）請求項４記載の発明は、請求項３記載の発明を技術的に限定したものであり、前記検知センサー(60)が使用済みシート部分の巻き取り厚みが所定の厚みとなったことを検知した場合にその検知結果を報知させる報知手段を備えた害虫捕獲装置に係る。
【００１７】
（用語説明）
「報知手段」とは、例えば、交換時期を知らせるランプを点灯させる手段、メンテナンス作業をする者へ直接または間接的に通信する手段などがある。また、それらに加え、巻き取りロール(51)による粘着シート(50)の巻き取り動作を停止させるようにしてもよい。
【００１８】
（作用）
検知センサー(60)は、巻き取りロール(51)に巻き取られた粘着シート(50)によって使用済みシートの巻き取り厚みが所定の厚みとなったことを検知する。そして、報知手段によって検知した旨を報知させる。したがって、供給側ロール(52)の大きさが所定以下となる、あるいは使用前の粘着シート(50)がなくなるか否かということとは無関係に、粘着シート(50)全体の交換時期を報知する。そのため、害虫の捕獲量に伴って巻き取りロール(51)が所定以上の巻き取り厚みになったら交換できるので、本体(10)への悪影響を未然に防止できる。
【００１９】
（請求項５）請求項５記載の発明は、請求項１、請求項２、請求項３または請求項４を技術的に限定したものであり、粘着シート(50)の害虫引き寄せ源を拡散させるため、前記本体(10)内の任意箇所に送風ファンを設けた害虫捕獲装置に係る。
【００２０】
（用語説明）
「害虫引き寄せ源」とは、例えば、粘着シート(50)の粘着材に含ませた害虫の好むフェロモンや、粘着シート(50)に付着した害虫自体から発散される臭い等を指す。
【００２１】
（作用）
例えば、捕獲空間(12)を構成する害虫通路部材(11)の上面に、貫通孔（図示せず）を形成し、この貫通孔に、送風ファン（図示せず）を設ければ、粘着シート(50)に付着されたフェロモン等が拡散し易くなり、害虫をおびき寄せ易くなる。
【００２２】
【発明の実施の形態】
以下、本発明を実施の形態及び図面に基づいて、更に詳しく説明する。図１および図２は、本願発明の実施形態を示す側面図である。図３は、本願発明の実施形態を上方から見た斜視図である。図４は、本願発明の実施形態を下方から見た斜視図である。図５は、本願発明の実施形態の主要部の組立斜視図である。図６は、図４中に示すＣ−Ｃの断面図である。
【００２３】
（概要）
この実施形態は、室内の床などを排回る害虫、例えばゴキブリを捕獲するための粘着シート５０と、その粘着シート５０をロール状にして供給する供給側ロール５２と、その供給側ロール５２から粘着シート５０を引き出して害虫の捕獲空間１２を確保するとともに害虫を捕獲した粘着シート５０を巻き取る巻き取りロール５１と、供給側ロール５２および巻き取りロール５１を回転自在に支持する本体１０とを備えた害虫捕獲装置である。
【００２４】
本体１０は、幅約３７０ミリメートル、奥行き約１５０ミリメートル、高さ約１２５ミリメートル程度の箱体であり、奥行き方向の下側中央を貫くように捕獲空間１２が形成されている。この捕獲空間１２は、本体１０を設置した場合、設置面から緩やかに上昇傾斜させた入り口を両側から形成する害虫通路部材１１と、この害虫通路部材１１に挟まれ、それらの中央に位置する粘着シート５０とから形成される。その粘着シート５０をロール状にして供給する供給側ロール５２と、その供給側ロール５２から粘着シート５０を引き出して害虫を捕獲した粘着シート５０を巻き取る巻き取りロール５１とは、上方を開放した箱状の本体１０によって支持される。そして、本体１０には、その開放部分を覆うカバー部材２０をかぶせる。このカバー部材２０には、本体１０側へ向かって作動検知用部材２５が突出しており、カバー部材２０を本体１０へかぶせた場合にその作動検知用部材２５に接し、カバー部材２０が装着されたかどうかを検知する作動センサー２６が、本体１０側に設けられている。駆動モーター３０はこの作動センサー２６により、カバー部材２０の装着を検知しない限り動作しないようになっており、カバー部材２０がないむき出しの状態で駆動モーター３０を駆動させることにより、使用者がけが等することを防止している。
【００２５】
（粘着シート）
粘着シート５０は、一面のみが粘着性を備えたものとしており、捕獲空間１２において粘着面を上に向けて設置される。長さは、例えば２メートル以上のものとし、供給側ロール５２に巻かれて提供される。そして、巻き取りロール５１に対して、粘着面が内側となるように巻き取らせる。粘着シート５０の端部は、予め巻き取りロール５１に接着して供給される。これにより、交換作業が容易となる。粘着シート５０の幅は４インチ（１０１．６ミリメートル）程度であるが、図６に示すように、両端から約１０ミリメートルは粘着材が塗布されていない。幅方向からはみ出した粘着材が巻き上げ負荷を増大することや、両端に害虫が付着した場合に装置の内部が汚れたり不潔感を伴ったりすることを防止するためである。なお、粘着シート５０としては、害虫の好むフェロモン等を粘着材に含ませたものを用いることもできる。また、このようなフェロモンや捕獲された害虫の臭い等の害虫引き寄せ源を拡散し、さらに害虫をおびき寄せ易くするため、本体１０内の任意箇所に、例えば、捕獲空間１２を構成する害虫通路部材１１の上面に、貫通孔（図示せず）を形成し、この貫通孔に、送風ファン（図示せず）を設けるようにしてもよい。
【００２６】
（駆動）
粘着シート５０を巻き取る駆動部分は、駆動モーター３０と、その駆動モーター３０によって回転する第一駆動ギア３１と、その第一駆動ギア３１よりも歯数が多い第二駆動ギア３２とを備えて形成される。駆動モーター３０や各種のセンサーなどを含め、電源としては電池を用いている。もちろん、１００Ｖ電源を使用できる構成としてもよいが、設置場所を問わないことから電池で駆動する構成とすることが好ましい。駆動ギア３２の中心に固定される駆動軸３２Ａは、巻き取りロール３１の中心筒部分を貫通し、空回りしないように保持する。
【００２７】
供給側ロール５２は、その中心を筒状とし、回転角度検出が可能な送りギア３５の中央に固定される従動軸３５Ａに挿通され、空回りしないように保持される。
【００２８】
供給側ロール５２から引き出され巻き取りローラー５１に巻き取られる粘着シート５０は、巻き取りローラー５１に近接する第一ガイドローラー３３および供給側ロール５２に近接する第二ガイドローラー３４によって、捕獲空間１２を通過するように軌道を確保される。
【００２９】
送りギア３５の周面には送り量検知センサー４０が接触しており、所定角度の回転をすると送り量検知センサー４０が作動し、駆動モーター３０を制御する。具体的には、図示を省略したタイマーに連動した駆動モーター３０は、例えば、１２時間に１度、供給側ロール５２を３６度回転させる。そして、３６度回転し終えると、送り量検知センサー４０が駆動モーター３０の回転を中断させる。なお、この送りギア３５および送り量検知センサー４０により、本実施形態の回転動作制御装置が構成されている。
【００３０】
巻き取りロール５１に巻き取られた粘着シート５０によって大きくなった巻き取りロール５１の半径（又は直径）が所定の大きさ（巻き取り厚み）となったことを検知する検知センサー６０が、巻き取りロール５１の近傍に固定されている。その検知センサー６０は、巻き取りロール５１の半径が所定の大きさ（具体的には、例えば直径９０ミリメートル）と検知した場合には（図２参照）、駆動モーター３０の回転を中断させる。
【００３１】
すなわち、多くの害虫を捕獲した場合、巻き取りロール５１の巻き取り厚みは非常に大きくなることから、そのまま粘着シート５０がなくなるまで害虫の捕獲を続行すると、本体１０に納まり切らなくなるなどの悪影響が生じるおそれがあるが、本実施形態では巻き取りロール５１への巻き取り厚みが所定値となったところで、新規の粘着シートと交換するようになっているため、そのような事態は未然に防止できる。
【００３２】
（作用）
まず、供給側ロール５２から粘着シート５０を引き出し、その端部を巻き取りロール５１に巻き取らせ、且つ害虫の捕獲空間１２に粘着シート５０を位置させる（図１参照）。なお、粘着シート５０は、実際には、予め該粘着シート５０の端部が巻き取りロール５１に接着された状態で提供される。
【００３３】
捕獲空間１２に位置する粘着シート５０によって害虫が捕獲できたら、巻き取りロール５１を回転させる。それによって、粘着シート５０における害虫を捕獲した部位は巻き取りロール５１に巻き取られ、供給側ロール５２から新しい粘着シート５０が捕獲空間１２へ供給される。なお、本実施形態においては、上記したように、１２時間に１度、供給側ロール５２が３６度回転するため、その間に害虫が捕獲できない場合にも、１２時間経過すれば、新しい粘着シート５０が捕獲空間１２へ供給される。
【００３４】
したがって、害虫が粘着シート５０に付着したまま数日放置されるということがなく、捕獲効率を高い水準で維持できるとともに、捕獲した害虫を巻き取りロール５１内へ巻き取ってしまうので、衛生的であるし、廃棄の際の心理的負担も軽減される。一面のみに粘着性を備えている粘着シート５０の場合であって、巻き取りロール５１に対して粘着面が内側となるように巻き取らせていれば、捕獲した害虫を眼にすることもない。
【００３５】
（メンテナンス）
本体１０には、図５に示すように、供給側ロール５２を回転自在に支持する供給側ロール支持軸３５Ａと、巻き取りロール５１を回転自在に支持する巻き取りロール支持軸３２Ａとを備えている。そして、それら供給側ロール支持軸３５Ａおよび巻き取りロール支持軸３２Ａは、本体１０から外した場合には供給側ロール５２および巻き取りロール５１が本体１０における下面から落下させることができるように形成している。したがって、粘着シート５０の全体を交換する場合、供給側ロール支持軸３５Ａおよび巻き取りロール支持軸３２Ａを、所定の面を下にした本体１０から取り外す。すると、供給側ロール５２および巻き取りロール５１が当該所定の面から落下する。したがって、その落下予測位置にゴミ袋を開放して用意しておけば、手を汚さずに粘着シート５０の全体を回収することができる。
【００３６】
【発明の効果】
請求項１記載の発明によれば、廃棄の際の衛生上の安全性を確保するだけでなく心理的な負担をも軽減でき、手を汚さずにメンテナンスができる害虫捕獲装置を提供することができた。また、請求項２記載の発明によれば、更に、捕獲効率を落とさないための管理の手間を省くことができる害虫捕獲装置を提供することができた。また、請求項３記載の発明によれば、更に、害虫の捕獲量に伴って巻き取りロールが所定以上の巻き取り厚みになることによる本体への悪影響を未然に防止できる害虫捕獲装置を提供することができた。また、請求項４記載の発明によれば、更に、メンテナンス時期を知ることができる害虫捕獲装置を提供することができた。また、請求項５記載の発明によれば、害虫をおびき寄せ易い害虫捕獲装置を提供することができた。
【図面の簡単な説明】
【図１】本願発明の実施形態を示す側面図であって、巻き取り開始の状態を示す図である。
【図２】本願発明の実施形態を示す側面図であって、巻き取り厚みが所定の厚みとなった状態を示す図である。
【図３】本願発明の実施形態を上方から見た斜視図である。
【図４】本願発明の実施形態を下方から見た斜視図である。
【図５】本願発明の実施形態の主要部の組立斜視図である。
【図６】図４中に示すＣ−Ｃの断面図である。
【符号の説明】
１０    本体
１１    害虫通路部材
１２    捕獲空間
２０    カバー部材
２５    作動検知用部材
２６    作動検知用センサー
３０    駆動モーター
３１    第一駆動ギア
３２    第二駆動ギア
３２Ａ  駆動軸
３３    第一ガイドローラー
３４    第二ガイドローラー
３５    送りギア
３５Ａ  従動軸
４０    送り量検知センサー
５０    粘着シート
５１    巻き取りロール
５２    供給側ロール
【図１】
0004169417.tif 000002
【図２】
0004169417.tif 000003
【図３】
0004169417.tif 000004
【図４】
0004169417.tif 000005
【図５】
0004169417.tif 000006
【図６】
0004169417.tif 000007